【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
第１のトランジスタに接続されるインダクタ（６２）を有するＥ級増幅器と、
前記インダクタ（６２）を電源（５４）に接続するための抵抗体（５８）と、
前記抵抗体（５８）に対し並列に接続される第２のトランジスタ（６０）と、
振幅変調信号を生成するために前記第１のトランジスタおよび前記第２のトランジスタ（６０）を制御する制御装置（２４）と、
を備えることを特徴とする、振幅変調信号を生成するための装置。
【請求項２】
前記装置が、さらに、
前記Ｅ級増幅器の前記第１のトランジスタおよび分路コンデンサと並列である電流経路を制御する第３のトランジスタ（３９）を備えており、
前記制御装置（２４）は、前記第１のトランジスタの動作が停止しているときに、ほぼ一定の電流が前記インダクタ（６２）を通過するように前記電流の流れを維持するために前記第３のトランジスタ（３９）を制御する、請求項１に記載の装置。
【請求項３】
振幅変調信号を出力し、第１のトランジスタおよび分路コンデンサを電源（５４）に接続するためのインダクタ（６２）と、前記インダクタ（６２）を流れる電流を制限する抵抗体（５８）と、前記抵抗体（５８）に対し並列に接続される第２のトランジスタ（６０）とを有する増幅器と、
前記振幅変調信号を生成するために前記第１のトランジスタおよび前記第２のトランジスタ（６０）を制御する制御装置（２４）と、
前記振幅変調信号を受信し、無線周波（ＲＦ）通信のための信号を出力するアンテナ（１５）と、
を備えることを特徴とする無線周波数識別（ＲＦＩＤ）読取装置。
【請求項４】
前記増幅器が、さらに、
前記第１のトランジスタと並列である電流経路を制御する第３のトランジスタ（３９）を有しており、
前記制御装置（２４）は、ほぼ一定の電流が前記インダクタ（６２）を通過するように前記電流の流れを維持するために前記第１のトランジスタおよび前記第３のトランジスタ（３９）を制御する、請求項３に記載のＲＦＩＤ読取装置。
【請求項５】
アンテナ（１５）および増幅器を具備する無線周波数識別（ＲＦＩＤ）読取装置（１２）を備える無線周波数識別（ＲＦＩＤ）システムであって、
前記アンテナ（１５）は前記増幅器から振幅変調信号を受信して、ＲＦ通信のための信号を出力し、また一方で、前記増幅器は、抵抗体（５８）に対し直列に接続されるインダクタ（６２）を介して電源（５４）に結合される第１のトランジスタと、前記抵抗体（５８）に対し並列に接続される第２のトランジスタ（６０）とを有しており、
前記無線周波数識別（ＲＦＩＤ）システムは、さらに、
前記ＲＦＩＤ読取装置（１２）を介してＲＦＩＤタグからデータを受信するプロセッサ（８）と、
前記プロセッサ（８）に接続され、前記データを利用者に表示する表示装置（６）と、
を備えることを特徴とする無線周波数識別（ＲＦＩＤ）システム。
【手続補正２】
【補正対象書類名】明細書
【補正対象項目名】発明の名称
【補正方法】変更
【補正の内容】
【発明の名称】振幅変調信号を生成するための装置、無線周波数識別（ＲＦＩＤ）読取装置、および無線周波数識別（ＲＦＩＤ）システム
【手続補正３】
【補正対象書類名】明細書
【補正対象項目名】０００８
【補正方法】変更
【補正の内容】
【０００８】
別の実施態様において、本発明は、１０％振幅変調のような、１００％未満の振幅変調を有する振幅変調ＲＦ信号を生成するための装置に向けられている。この装置は、第１のトランジスタと、第１の抵抗体を介して第１のトランジスタを電源に結合させるインダクタとを有するＥ級増幅器を具備する。第２のトランジスタが、第１の抵抗体に対し並列に接続される。制御装置が第１および第２のトランジスタに結合される。第２のトランジスタを動作させたり、その動作を停止させたりすることによって、制御装置は電源電圧を変化させ、生成されたＲＦ信号に対し振幅変調を行わせる。
【手続補正４】
【補正対象書類名】明細書
【補正対象項目名】０００９
【補正方法】変更
【補正の内容】
【０００９】
別の実施態様において、本発明は、振幅変調信号を生成する増幅器を含む無線周波数識別（ＲＦＩＤ）読取装置に向けられている。この増幅器は、第１の抵抗体を介して第１のトランジスタおよび分路コンデンサを電源に結合させるインダクタを含む。増幅器内の第２のトランジスタが、第１のトランジスタと並列である電流経路を接続するために使用される。第３のトランジスタが、第１のトランジスタに対し並列に接続される。制御装置が、第１、第２および第３のトランジスタを選択的に制御する。ＲＦＩＤ読取装置は、振幅変調信号を受信し、かつ、ＲＦ通信のための信号を出力するために、アンテナを備えている。
【手続補正５】
【補正対象書類名】明細書
【補正対象項目名】００１３
【補正方法】変更
【補正の内容】
【００１３】
図１は、無線周波数識別（ＲＦＩＤ）システム２の例を示すブロック図である。ＲＦＩＤシステム２は、無線周波信号１６を介してタグ１４と情報を交信するＲＦＩＤステーション（「ステーション」）４を有する。具体的に言えば、ステーション４は、エネルギーをタグ１４に供給するＲＦＩＤ読取装置（「読取装置」）１２を含み、アンテナ１５を介して、ＲＦ通信のための無線周波信号１６を生成したり受信したりすることによって、情報をタグ１４から受信する。読取装置１２およびタグ１４は、ＩＳＯ／ＩＥＣ１４４４３およびＩＳＯ／ＩＥＣ１５６９３規格により明示されるような、予め規定されたプロトコルによって振幅変調が行われるＲＦ通信のための無線周波信号１６を用いて交信する。
【手続補正６】
【補正対象書類名】明細書
【補正対象項目名】００１９
【補正方法】変更
【補正の内容】
【００１９】
図３は、アンテナ１５（図２）によって送信するために１００％振幅変調信号を効率良く生成するような増幅器２８の例を示す概略図である。増幅器２８は、図３に破線５５によって輪郭が描かれるように、典型的なＥ級増幅器として構成される、いくつかの構成部品を含む。具体的に言えば、インダクタ４０が増幅器２８用の電流源として作用し、電源３４に結合される。増幅トランジスタ５０が、インダクタ４０をアースに接続し、そして、インダクタ４０に接続されるドレイン、およびアースに接続されるソースを有する金属酸化物半導体電界効果トランジスタ（ＭＯＳＦＥＴ：Ｍｅｔａｌ  Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）である。
【手続補正７】
【補正対象書類名】明細書
【補正対象項目名】００２０
【補正方法】変更
【補正の内容】
【００２０】
制御装置２４は増幅トランジスタ５０のゲートに接続され、このトランジスタは制御信号に応答してスイッチとして動作する。具体的に言えば、正のバイアス電圧を増幅トランジスタ５０のゲートに印加することによって、電源３４からインダクタ４０を通過して、大電流がアースに流れる。分路コンデンサ５２が、増幅トランジスタのオンからオフへのスイッチング遷移の間中、増幅トランジスタ５０のドレインにおける電圧を保持し、これによってスイッチング損失を回避する。抵抗体５３は、増幅器２８の負荷、すなわちアンテナ１５（図２）を表す。増幅トランジスタ５０のドレイン電圧が、オフからオンへのスイッチング遷移に先立ってゼロに戻るように、コンデンサ４２、インダクタ４８、および抵抗体５３が設計され、この場合も上記の場合と同様に、スイッチング損失を回避する。
【手続補正８】
【補正対象書類名】明細書
【補正対象項目名】００２４
【補正方法】変更
【補正の内容】
【００２４】
制御装置２４が、その後の変調サイクル中に、増幅トランジスタ５０のスイッチングを開始する場合、インダクタ４０に蓄えられるエネルギーは維持されるので、インダクタ４０を通る電流はインダクタ４０を再度活性化することを必要とされず、したがって０％振幅から１００％振幅への立ち上り時間がより短くなる。この結果として、増幅器２８はデータ転送速度を増大させることができる。一つの実施形態においては、電源３４が５ボルトを供給し、また一方で、抵抗体５３および４１が、１２オームおよび２４オームの抵抗値をそれぞれ有する。コンデンサ５２および４２が、１５０ピコファラドおよび５０ピコファラドの容量をそれぞれ有し、インダクタ４０および４８が、２５マイクロヘンリーおよび３マイクロヘンリーのインダクタンスをそれぞれ有する。さらに、バイアストランジスタ３９および増幅トランジスタ５０は金属酸化物半導体電界効果トランジスタ（ＭＯＳＦＥＴ）である。
【手続補正９】
【補正対象書類名】明細書
【補正対象項目名】００２６
【補正方法】変更
【補正の内容】
【００２６】
図４に示すシミュレーションは、増幅トランジスタ５０およびバイアストランジスタ３９、ならびに電源３４が、最初はオフであると仮定する。０．１マイクロ秒（μｓ）で、制御装置２４は、例えば５０％のデューティサイクルで、１３．５６メガヘルツ（ＭＨｚ）のような高周波で増幅トランジスタ５０をオンオフすることによって、振幅変調出力信号７２の第１サイクルを開始する。さらに、制御装置２４は、バイアストランジスタ３９をオフ状態に維持する。約４．２マイクロ秒（μｓ）で、かつ、増幅トランジスタ５０を期間Ｔ１中オンオフした後に、制御装置２４はバイアストランジスタ３９を動作させ、同時に増幅トランジスタ５０の動作を停止させる。この期間中、電流はインダクタ４０を通過し抵抗体４１およびバイアストランジスタ３９を経由してアースに流れ、出力信号７２はほぼゼロボルトの振幅を有することになる。
【手続補正１０】
【補正対象書類名】明細書
【補正対象項目名】００３０
【補正方法】変更
【補正の内容】
【００３０】
これらの構成部品に加えて、増幅器８０は抵抗体５８に対し並列に接続される変調トランジスタ６０を含み、このトランジスタは、インダクタ６２を電源５４に接続する。具体的に言えば、変調トランジスタ６０は、抵抗体５８の両端に接続されるソースおよびドレインを有するＭＯＳＦＥＴトランジスタである。変調トランジスタ６０を動作させたり、その動作を停止させたりすることによって、制御装置２４は、インダクタ６２によって受信される電源電圧を変化させ、増幅器８０によって生成される出力信号の振幅変調を生じさせる。
【手続補正１１】
【補正対象書類名】明細書
【補正対象項目名】００３２
【補正方法】変更
【補正の内容】
【００３２】
図６に示すシミュレーションは、０．０マイクロ秒（μｓ）（図示せず）で、制御装置２４は、５０％のデューティサイクルで、１３．５６メガヘルツ（ＭＨｚ）のような高周波で増幅トランジスタ６４をオンオフすることによって、第１変調サイクルを開始すると仮定する。さらに、制御装置２４は変調トランジスタ６０の動作を停止させて、抵抗体５８を通して電流を流し、電源５４の電源電圧を抵抗体５８の両端で下降させる。この結果として、３．８マイクロ秒（μｓ）で、出力信号８２の包絡線はＶMAX2のピーク電圧を有する。
【手続補正１２】
【補正対象書類名】明細書
【補正対象項目名】００３５
【補正方法】変更
【補正の内容】
【００３５】
増幅器９０は、第１のトランジスタ６４、第１の抵抗体５８を介して第１のトランジスタを電源５４に結合させるインダクタ６２、第１のトランジスタに対し並列に接続される分路コンデンサ６８、第２の抵抗体４１によってインダクタに接続される第３のトランジスタ３９（第３のトランジスタは、第１のトランジスタおよびコンデンサと並列である電流経路を制御する）、第１の抵抗体に対し並列に接続される第２のトランジスタ６０、および、第１、第２および第３のトランジスタに結合される制御装置２４を有する。なお、ここでは、前述の図３のバイアストランジスタ３９を第３のトランジスタと表記する。